(57)【要約】【課題】見栄えの向上が可能でありながらも、取付構造の簡略化を図り得る支持部材の取付構造及びこのような取付構造に好適に用いられる板状部材支持具を提供する。【解決手段】支持部材の取付構造は、板状部材７を支持する支持片部１１の基端側から垂れ下がるように固定片部１５を設けた支持部材１０の該固定片部を、壁下地２に沿わせるように固定し、四周を囲むように配される壁下地ボード５と同一平面状とされる木質系材料からなるカバー下地板２０を、前記支持部材の固定片部を覆うように前記壁下地に固定した構造とされている。【選択図】図１
2015202128.tif 000002
【特許請求の範囲】
【請求項１】
板状部材を支持する支持片部の基端側から垂れ下がるように固定片部を設けた支持部材の該固定片部を、壁下地に沿わせるように固定し、
四周を囲むように配される壁下地ボードと同一平面状とされる木質系材料からなるカバー下地板を、前記支持部材の固定片部を覆うように前記壁下地に固定した構造とされていることを特徴とする支持部材の取付構造。
【請求項２】
請求項１において、
前記カバー下地板を前記壁下地に固定する止具を、前記固定片部を貫通させた構造としていることを特徴とする支持部材の取付構造。
【請求項３】
請求項１または２において、
前記カバー下地板の壁幅方向に沿う寸法を、前記固定片部の壁幅方向に沿う寸法よりも大とし、該カバー下地板の壁幅方向両端部のそれぞれを、前記壁下地に固定していることを特徴とする支持部材の取付構造。
【請求項４】
請求項１乃至３のいずれか１項において、
前記カバー下地板に、当該カバー下地板の上端面と前記支持片部の上面とが同一平面状となり、当該カバー下地板の壁下地側面と前記固定片部の壁下地側面とが同一平面状となるように、前記支持片部の基端部及び前記固定片部を受け入れる収容凹所を設けていることを特徴とする支持部材の取付構造。
【請求項５】
板状部材を支持する支持片部の基端側から垂れ下がるように設けられ、壁下地に沿うように固定される固定片部を有した支持部材と、
四周を囲むように配される壁下地ボードと同一平面状とされる木質系材料からなり、かつ前記支持部材の固定片部を覆うように前記壁下地に固定されるカバー下地板と、
を備えていることを特徴とする板状部材支持具。
【発明の詳細な説明】
【技術分野】
【０００１】
本発明は、板状部材を支持する支持部材の取付構造及びこれに用いられる板状部材支持具に関する。
【背景技術】
【０００２】
従来より、カウンター状に配される板状部材を支持する支持片部の基端から垂れ下がる固定片部を壁面に固定した構造が知られている。このような構造では、固定片部が目立ち易くなるという問題があった。
例えば、下記特許文献１には、間柱や胴縁などによって四周枠状とされた下地枠材内に位置させるように保持プレートを固定し、この保持プレートに、カウンター天板が載置固定される支持ブラケットを固定したカウンターの取付構造が開示されている。また、この取付構造は、保持プレートに、当該保持プレートを下地枠材に固定する際に手が差し込まれる開口部を設けた構造とし、下地枠材に固定された保持プレートに対して、支持ブラケット後端のフランジ状とされた取付プレートを固定した構造とされている。また、この取付プレートの四周を囲む下地枠材に対して、取付プレートの四周を囲むように下地板を固定した構造とされている。
【先行技術文献】
【特許文献】
【０００３】
【特許文献１】特開２００３−１８０４７０号公報
【発明の概要】
【発明が解決しようとする課題】
【０００４】
しかしながら、上記特許文献１に記載された取付構造では、保持プレートが取り付けられる下地枠材や下地枠材に対する保持プレートの取付構造が複雑化する傾向があった。
【０００５】
本発明は、上記実情に鑑みてなされたものであり、見栄えの向上が可能でありながらも、取付構造の簡略化を図り得る支持部材の取付構造及びこのような取付構造に好適に用いられる板状部材支持具を提供することを目的としている。
【課題を解決するための手段】
【０００６】
上記目的を達成するために、本発明に係る支持部材の取付構造は、板状部材を支持する支持片部の基端側から垂れ下がるように固定片部を設けた支持部材の該固定片部を、壁下地に沿わせるように固定し、四周を囲むように配される壁下地ボードと同一平面状とされる木質系材料からなるカバー下地板を、前記支持部材の固定片部を覆うように前記壁下地に固定した構造とされていることを特徴とする。
【０００７】
また、上記目的を達成するために、本発明に係る板状部材支持具は、板状部材を支持する支持片部の基端側から垂れ下がるように設けられ、壁下地に沿うように固定される固定片部を有した支持部材と、四周を囲むように配される壁下地ボードと同一平面状とされる木質系材料からなり、かつ前記支持部材の固定片部を覆うように前記壁下地に固定されるカバー下地板と、を備えていることを特徴とする。
【発明の効果】
【０００８】
本発明に係る支持部材の取付構造は、上述のような構成としたことで、見栄えの向上が可能でありながらも、取付構造の簡略化を図ることができ、また、本発明に係る板状部材支持具は、このような取付構造に好適に用いられる。
【図面の簡単な説明】
【０００９】
【図１】本発明の一実施形態に係る支持部材の取付構造の一例及び同取付構造に用いられる板状部材支持具の一例を模式的に示し、図３（ｃ）におけるＸ−Ｘ線矢視に対応させた一部破断概略縦断面図である。
【図２】（ａ）は、図１に対応させた一部を省略した一部破断概略分解縦断面図、（ｂ）は、図１に対応させた一部を省略した一部破断概略縦断面図である。
【図３】（ａ）は、同板状部材支持具が備える支持部材の一例を模式的に示す概略正面図、（ｂ）は、同板状部材支持具が備えるカバー下地板の一例を模式的に示す概略正面図、（ｃ）は、同支持部材の取付構造の一例を模式的に示す一部破断概略正面図である。
【発明を実施するための形態】
【００１０】
以下に本発明の実施の形態について、図面に基づいて説明する。
図１〜図３は、本実施形態に係る支持部材の取付構造の一例及びこれに用いられる板状部材支持具の一例を模式的に示す図である。
なお、一部の図では、他図に付している詳細な符号の一部を省略している。
また、以下の実施形態では、板状部材支持具を設置した状態で、壁に対面した状態を基準として、手前側を前方側、その逆側を後方側とし、また、その状態を基準として、上下方向及び左右方向の方向を説明する。
【００１１】
本実施形態に係る板状部材支持具１は、図１〜図３に示すように、板状部材７を支持する支持片部１１の基端側から垂れ下がるように設けられ、壁下地２に沿うように固定される固定片部１５を有した支持部材１０を備えている。また、板状部材支持具１は、四周を囲むように配される壁下地ボード５と同一平面状とされる木質系材料からなり、かつ支持部材１０の固定片部１５を覆うように壁下地２に固定されるカバー下地板２０を備えている。
本実施形態に係る支持部材の取付構造は、この支持部材１０の固定片部１５を、壁下地２に沿わせるように固定し、カバー下地板２０を、固定片部１５を覆うように壁下地２に固定した構造とされている。本実施形態では、カバー下地板２０を壁下地２に固定する止具４を、固定片部１５を貫通させた構造としている。また、本実施形態では、カバー下地板２０の壁幅方向（左右方向）に沿う寸法を、固定片部１５の壁幅方向に沿う寸法よりも大とし、カバー下地板２０の壁幅方向両端部のそれぞれを、壁下地２に固定している。
【００１２】
板状部材７は、種々の物品が載置される棚板やカウンター状の天板、飾り棚等としてもよく、または肘掛台や腰掛台等としてもよい。本実施形態では、板状部材７を、図３（ｃ）に示すように、壁幅方向に長尺な矩形状としている。この板状部材７は、木質系材料や、合成樹脂系材料、金属系材料等から形成されたものとしてもよい。
本実施形態では、この板状部材７を、壁幅方向に沿って間隔を空けて設けられた複数（図例では、２つ）の支持部材１０，１０によって支持させた構造としている。また、本実施形態では、この板状部材７の壁幅方向両端部のそれぞれを、これら２つの支持部材１０，１０によって支持させた構造としている。また、本実施形態では、単一の板状部材７に対して、それぞれに支持部材１０及びカバー下地板２０を備えた２組の板状部材支持具１，１を設けた構造としている。
【００１３】
壁下地２は、柱（間柱）や桟、胴縁、木摺、下地板等の木造下地としてもよい。また、このような木造下地に限られず、スタッド（軽鉄）等の鋼製下地としてもよく、また、コンクリート（ＲＣ）下地としてもよい。図３（ｃ）では、上下方向に長手方向を沿わせた複数の縦桟材を壁幅方向に等間隔を空けて設けて壁下地２を構成した例を示している。
壁下地ボード５は、その裏面となる壁下地側面５ｂを壁下地２に沿わせるように壁下地２に固定される。この壁下地ボード５の表面５ａは、後記するカバー下地板２０の表面２１と同一平面状とされる。この壁下地ボード５は、例えば、石膏ボード（プラスターボード）やロックウールボード等の内装下地ボードとしてもよい。
【００１４】
支持部材１０は、図１に示すように、固定片部１５の上端から前方に向けて支持片部１１を突出させた形状とされ、壁幅方向に見て（側面視して）、略Ｌ字状されている。この支持部材１０は、壁幅方向に沿う寸法（幅寸法）が板状部材７の壁幅方向に沿う寸法（長さ寸法）よりも小さい寸法とされ、また、前後寸法が板状部材７の前後寸法よりも小さい寸法とされている。
支持片部１１は、厚さ方向を上下方向に沿わせて配設される薄板状とされている。この支持片部１１は、厚さ方向に見て前後方向に長尺な略矩形状とされている。
また、支持片部１１には、図１及び図２に示すように、当該支持片部１１に板状部材７を固定するねじや釘等の止具８が挿通される止具挿通孔１４が複数箇所に設けられている。図例では、支持片部１１の基端側（後端側）及び突出方向先端側（前端側）のそれぞれに、壁幅方向に沿って間隔を空けて２箇所に止具挿通孔１４を設けた例を示している（図３（ａ）も参照）。
【００１５】
固定片部１５は、厚さ方向を壁厚方向（前後方向）に沿わせて配設される薄板状とされている。この固定片部１５は、厚さ方向に見て上下方向に長尺な略矩形状とされている。
また、固定片部１５には、当該固定片部１５（支持部材１０）を壁下地２に固定するねじや釘等の止具３が挿通される止具挿通孔１７が設けられている。本実施形態では、この止具挿通孔１７を第１挿通孔１７とし、これに加えて、カバー下地板２０を壁下地２に固定する止具４が挿通される第２挿通孔１８を固定片部１５に設けている。本実施形態では、カバー下地板２０を壁下地２に固定する止具４を、固定片部１５の第２挿通孔１８を介して貫通させた構造としている。
【００１６】
また、本実施形態では、第１挿通孔１７を、固定片部１５の上下方向途中部位に設け、この第１挿通孔１７の上方側部位及び下方側部位のそれぞれに第２挿通孔１８，１８を設けている。つまり、カバー下地板２０を壁下地２に固定する止具４が、固定片部１５自体を壁下地２０に固定する止具３の上方側及び下方側となる固定片部１５の上端部及び下端部のそれぞれを貫通することとなる。
また、本実施形態では、固定片部１５の上下方向途中部位の壁幅方向両端部に第１挿通孔１７，１７を設け、固定片部１５の上端部の壁幅方向両端部及び下端部の壁幅方向両端部のそれぞれに第２挿通孔１８，１８，１８，１８を設けている。また、第１挿通孔１７を、挿通された止具３が固定片部１５の反壁下地側面となる表面から突出しないように、止具３の頭部を収容するざぐり（皿孔）等の収容凹所を設けた形状としている。また、第２挿通孔１８を、止具４の挿通が可能な丸孔状としている。本実施形態では、これら第１挿通孔１７及び第２挿通孔１８並びに上記した止具挿通孔１４の形成位置を含み、支持部材１０を、左右対称状としている。
【００１７】
また、この固定片部１５の厚さ寸法は、その前面側を覆うカバー下地板２０の表面２１が壁下地ボード５の表面５ａと同一平面状となるように、壁下地ボード５の厚さ寸法よりも小さい寸法とされている。本実施形態では、固定片部１５の厚さ寸法と支持片部１１の厚さ寸法とを同寸法とし、これら支持片部１１及び固定片部１５の幅寸法も互いに同寸法としている。また、図例では、支持片部１１の突出寸法（前後方向に沿う寸法）を、固定片部１５の上下寸法よりも大きい寸法としている。これら支持片部１１及び固定片部１５の各寸法は、板状部材７の大きさ（前後寸法）や用途、支持部材１０の耐荷重等に応じて、また、外観上の観点や軽量化を図る観点等から適宜、設定するようにしてもよい。
また、この支持部材１０は、例えば、アルミニウムやステンレス、鉄、炭素鋼等の金属系材料から形成されたものしてもよい。
【００１８】
カバー下地板２０は、図３（ｂ）、（ｃ）に示すように、正面視して（厚さ方向に見て）、略矩形状とされており、その裏面となる壁下地側面２３を壁下地２に沿わせるように壁下地２に固定される。このカバー下地板２０の表面２１は、当該カバー下地板２０の四周を囲むように配される壁下地ボード５と同一平面状とされる。
また、本実施形態では、カバー下地板２０に、支持片部１１の基端部１２及び固定片部１５を受け入れる収容凹所２４を設けている。この収容凹所２４は、当該カバー下地板２０の上端面２２と支持片部１１の上面１３とが同一平面状となり、当該カバー下地板２０の壁下地側面２３と固定片部１５の壁下地側面１６とが同一平面状となるように設けられている。
【００１９】
また、本実施形態では、カバー下地板２０を、壁幅方向に長尺状としている。このカバー下地板２０の壁幅方向に沿う寸法は、板状部材７の壁幅方向に沿う寸法や、壁下地ボード５の幅寸法、壁下地２の態様等に応じて適宜、設定するようにしてもよい。このカバー下地板２０の壁幅方向に沿う寸法を、例えば、一般的な壁下地ボード５の幅寸法の略１／２としてもよい。つまりは、カバー下地板２０の壁幅方向に沿う寸法を整数倍した寸法が壁下地ボード５の幅寸法となる寸法としてもよい。このような構成とすれば、図３（ｃ）に示すように、複数枚（２枚）のカバー下地板２０，２０を壁幅方向に突き合わせて配設または１枚のカバー下地板２０を配設すれば、上下両側に配される壁下地ボード５，５の幅寸法の調整を簡素化でき（不要にでき）、施工性を向上させることができる。
また、図例では、カバー下地板２０の壁幅方向に沿う寸法を、壁幅方向に等間隔を空けて設けられた複数の縦桟状の壁下地２に跨るように配設可能な寸法とした例を示している。
【００２０】
また、本実施形態では、カバー下地板２０の上下寸法を、支持部材１０の固定片部１５の上下寸法よりも大としている。このカバー下地板２０の上下寸法（収容凹所２４が設けられた部位を除く部位の上下寸法）は、強度上の観点や取扱性等の観点から適宜、設定するようにしてもよい。図例では、カバー下地板２０の上下寸法を、固定片部１５の上下寸法の１．２５倍程度とした例を示しているが、このような例に限られない。
また、このカバー下地板２０の厚さ寸法（収容凹所２４が設けられた部位を除く部位の厚さ寸法）は、壁下地ボード５の厚さ寸法と略同寸法とされている。このカバー下地板２０の厚さ寸法は、一般的な壁下地ボード５の厚さに応じて、適宜、設定するようにしてもよい。
【００２１】
収容凹所２４は、支持片部１１の基端部１２を受け入れる上端側凹所２５と固定片部１５を受け入れる裏面側凹所２６とを連なるように設けた構成とされている。
上端側凹所２５は、当該カバー下地板２０の上端部に、厚さ方向の全体に亘って切欠状に設けられ、上方に向けて開口するように設けられている。この上端側凹所２５の上下方向に沿う寸法（深さ寸法）は、支持片部１１の厚さ寸法と略同寸法とされている。また、この上端側凹所２５の壁幅方向に沿う寸法は、支持片部１１の幅寸法と略同寸法とされている。
裏面側凹所２６は、裏面側及び上方に向けて開口するように設けられている。この裏面側凹所２６の前後方向に沿う寸法（深さ寸法）は、固定片部１５の厚さ寸法と略同寸法とされている。また、この裏面側凹所２６の壁幅方向に沿う寸法は、固定片部１５の幅寸法と略同寸法とされ、裏面側凹所２６の上下方向に沿う寸法は、固定片部１５の上下方向に沿う寸法と略同寸法とされている。なお、裏面側凹所２６を、下方側にも開口させたような形状としてもよい。また、壁下地２に固定された支持部材１０に対するカバー下地板２０の壁幅方向に沿う位置調整が可能となるように、収容凹所２４の壁幅方向に沿う寸法を、支持片部１１の基端部１２及び固定片部１５の幅寸法よりも大きい寸法としてもよい。この場合は、固定片部１５の第２挿通孔１８を、壁幅方向に長径の長孔状としてもよい。
【００２２】
また、本実施形態では、この収容凹所２４を、当該カバー下地板２０の壁幅方向略中央に設けている。また、カバー下地板２０の壁幅方向両端部に加え、壁幅方向略中央も止具４によって壁下地２に固定した構造としている。
本実施形態では、カバー下地板２０に、当該カバー下地板２０を壁下地２に固定する止具４が挿通される止具挿通孔２７を設けている。本実施形態では、カバー下地板２０の壁幅方向両端部を壁下地２に固定する止具４の止具挿通孔としての第１挿通孔２７，２７を、カバー下地板２０の壁幅方向両端部のそれぞれに設けている。また、本実施形態では、カバー下地板２０の壁幅方向両端部における上端部及び下端部のそれぞれに第１挿通孔２７，２７，２７，２７を設けている。
【００２３】
また、これら第１挿通孔２７，２７に加え、固定片部１５を貫通させてカバー下地板２０を壁下地２に固定する止具４が挿通される第２挿通孔２８をカバー下地板２０に設けている。この第２挿通孔２８は、カバー下地板２０における裏面側凹所２６が設けられた部位を厚さ方向に貫通するように設けられている。また、上記した固定片部１５に設けられた第２挿通孔１８と厚さ方向（前後方向）に見て互いに一致（重合）する位置となるように、裏面側凹所２６が設けられた部位の上端部の壁幅方向両端部及び下端部の壁幅方向両端部のそれぞれに設けられている。本実施形態では、これら第１挿通孔２７及び第２挿通孔２８並びに収容凹所２４の形成位置を含み、カバー下地板２０を、左右対称状としている。
また、これら第１挿通孔２７及び第２挿通孔２８を、これらに挿通された止具４がカバー下地板２０の表面２１から突出しないように、止具４の頭部を収容するざぐり（皿孔）等の収容凹所を設けた形状としている。
【００２４】
なお、このような第１挿通孔２７及び第２挿通孔２８は、カバー下地板２０が取り付けられる壁下地２の態様等に応じて適宜の位置に設けるようにしてもよく、図例のような縦桟状の壁下地２に応じた位置となるように壁幅方向に間隔を空けて設けた態様に限られない。例えば、胴縁等の横桟状の壁下地２に応じた位置となるようにこれら第１挿通孔２７及び第２挿通孔２８を設けるようにしてもよく、その他、種々の位置に設けるようにしてもよい。さらには、このような止具４の挿通孔２７，２８を設けた態様に代えて、止具４の止着箇所の目安となる凹部（下穴）や目印等を設けた態様としてもよい。さらには、カバー下地板２０を、施工現場において適宜の形状に加工されたものとしてもよい。
また、カバー下地板２０は、例えば、合板やＬＶＬ（単板積層材）等の木質積層板、パーティクルボード等の木質ボード、インシュレーションボードやＭＤＦ（中密度繊維板）等の木質繊維板などの木質系材料から形成されたものとしてもよい。
【００２５】
次に、本実施形態に係る板状部材支持具１を用いた支持部材の取付構造の施工手順の一例について説明する。
まず、図２（ａ）に示すように、支持部材１０の固定片部１５を、壁下地２に沿わせるように固定する。本実施形態では、上記のように、板状部材７の壁幅方向両端部を支持する支持部材１０，１０を、壁幅方向に間隔を空けて壁下地２にそれぞれ固定している。
次いで、カバー下地板２０を、固定片部１５を覆うように壁下地２に固定する。この際、カバー下地板２０の収容凹所２４に支持部材１０の固定片部１５及び支持片部１１の基端部１２を受け入れさせるようにしてカバー下地板２０の位置決めを行うようにしてもよい。
また、本実施形態では、２つの支持部材１０，１０のそれぞれの固定片部１５，１５を覆うように、２枚のカバー下地板２０，２０を壁下地２に固定している。
【００２６】
次いで、カバー下地板２０の四周を囲むように壁下地ボード５を壁下地２に固定する。本実施形態では、壁幅方向に突き合わせられた２枚のカバー下地板２０，２０の上下両側部及び壁幅方向両側部のそれぞれに沿わせるように壁下地ボード５，５，５，５を設けた例を示している。
そして、壁下地ボード５の表面５ａ及びカバー下地板２０の表面２１に、壁面を構成する壁クロス等の表面化粧材６を一連状に貼着するようにしてもよい。この状態では、壁面から前方に向けて、２つの支持部材１０，１０のそれぞれの支持片部１１，１１のみが突出したような状態となる。そして、これら支持片部１１，１１のそれぞれの上面１３，１３に、板状部材７を載置し、当該板状部材７を、これら支持片部１１，１１に固定するようにしてもよい。
なお、上記施工手順は一例に過ぎず、各部材の機能を阻害しない限りにおいて別手順で行うようにしてもよい。
【００２７】
本実施形態に係る支持部材の取付構造は、上述のような構成としたことで、見栄えの向上が可能でありながらも、取付構造の簡略化を図ることができ、また、本実施形態に係る板状部材支持具１は、このような取付構造に好適に用いられる。
つまり、支持部材１０を、支持片部１１とこの基端側から垂れ下がるように設けられた固定片部１５とを備えた構造としている。従って、支持部材１０を略Ｌ字状とすることができ、支持部材１０自体の構造の簡略化を図ることができる。また、壁下地２に沿わせるように固定した固定片部１５を、四周を囲むように配される壁下地ボード５と同一平面状とされる木質系材料からなるカバー下地板２０によって覆った構造としている。従って、固定片部１５を目立ち難くすることができ、見栄えを向上させることができる。
【００２８】
また、このカバー下地板２０の表面２１及びこれの四周を囲むように設けられる壁下地ボード５の表面５ａに一連状に壁クロス等の表面化粧材６を貼着することができる。これにより、壁面から支持片部１１及びその上側に設けられた板状部材７が言わば突き出すように設けられることとなり、すっきりとした印象を与えることができる。
また、木質系材料からなるカバー下地板２０を、壁下地２に沿わせるように固定した固定片部１５を覆うように壁下地２に固定した構造としている。従って、下地枠材内に位置させるように固定された保持プレートに対して支持ブラケットの取付プレートを取り付けたような構造と比べて、構造の簡略化を図ることができる。また、支持部材１０の薄型化を図りながらも、カバー下地板２０によって支持部材１０を補強することができる。
【００２９】
また、本実施形態では、固定片部１５を、厚さ方向を壁厚方向に沿わせた薄板状とし、支持片部１１を、厚さ方向を上下方向に沿わせた薄板状としている。従って、支持部材１０自体の構造の簡略化をより図ることができる。また、このような構造とした場合にも、薄板状の固定片部１５の全体を、その表面側のカバー下地板２０によって覆うことで、固定片部１５の変形等を抑制することができる。また、薄板状の支持片部１１の基端部１２をカバー下地板２０の上端部によって受けることができ、板状部材７を支持する支持片部１１の撓み等を抑制することができる。
【００３０】
また、本実施形態では、カバー下地板２０を壁下地２に固定する止具４を、固定片部１５を貫通させた構造としている。従って、壁下地２に固定された固定片部１５に掛かる荷重を、固定片部１５自体を壁下地２に固定する止具３とこれを覆うカバー下地板２０を壁下地２に固定する止具４とに分散させることができ、壁下地２に対する固定片部１５の取付強度を向上させることができる。
また、本実施形態では、カバー下地板２０を壁下地２に固定する止具４を、固定片部１５自体を壁下地２０に固定する止具３の上方側及び下方側となる固定片部１５の上端部及び下端部のそれぞれを貫通させた構造としている。従って、固定片部１５に掛かる荷重を、より効果的に分散させることができ、壁下地２に対する固定片部１５の取付強度を向上させることができる。
【００３１】
また、本実施形態では、カバー下地板２０の壁幅方向に沿う寸法を、固定片部１５の壁幅方向に沿う寸法よりも大とし、カバー下地板２０の壁幅方向両端部のそれぞれを、壁下地２に固定している。従って、固定片部１５の壁幅方向に沿う寸法の小型化を図りながらも、これを覆うカバー下地板２０によって壁下地２に対する固定片部１５の取付強度を向上させることができる。
また、本実施形態では、カバー下地板２０を壁下地２に固定する止具４を、固定片部１５を貫通させた構造としているので、固定片部１５に掛かる荷重を、より効果的に分散させてカバー下地板２０によって受けることができる。
【００３２】
また、本実施形態では、カバー下地板２０に、支持片部１１の基端部１２及び固定片部１５を受け入れる収容凹所２４を設けている。従って、例えば、四周を囲むように配される壁下地ボード５と同一平面状となるように、カバー下地板２０の壁下地側に固定片部１５の厚さを吸収するスペーサを設けたり、壁下地ボード５に支持片部１１を受け入れる切欠部を設けたりする必要があるものと比べて、施工性を向上させることができる。なお、このような収容凹所２４をカバー下地板２０に設けないようにしてもよい。
【００３３】
なお、上記した例では、１枚のカバー下地板２０によって１つの支持部材１０の固定片部１５を覆う構造とした例を示しているが、１枚のカバー下地板２０によって複数の支持部材１０の固定片部１５を覆う構造としてもよい。
また、上記のような態様に代えて、カバー下地板２０を、固定片部１５を貫通させない止具４によって壁下地２に固定する態様としてもよく、または、固定片部１５を貫通させた止具４のみによって壁下地２に固定する態様等としてもよい。例えば、カバー下地板２０の上下寸法及び壁幅方向に沿う寸法を、固定片部１５の上下寸法及び壁幅方向に沿う寸法と略同寸法としたような態様等としてもよく、その他、種々の変形態様の採用が可能である。
【符号の説明】
【００３４】
１        板状部材支持具
１０      支持部材
１１      支持片部
１２      基端部
１３      上面
１５      固定片部
１６      壁下地側面
２０      カバー下地板
２２      上端面
２３      壁下地側面
２４      収容凹所
２        壁下地
４        止具
５        壁下地ボード
７        板状部材
【図１】
2015202128.tif 000003
【図２】
2015202128.tif 000004
【図３】
2015202128.tif 000005